(57)【特許請求の範囲】
【請求項１】
監視対象者の眼球運動に基づいて前記監視対象者の状態を推定する状態推定装置（１）であって、
前記監視対象者のサッカードの発生頻度を表す通常サッカード頻度、および前記監視対象者のマイクロサッカードの発生頻度を表すマイクロサッカード頻度を取得する頻度取得手段（Ｓ１５，Ｓ２０）と、
前記通常サッカード頻度および前記マイクロサッカード頻度に基づいて、前記監視対象者の状態を推定する状態推定手段（Ｓ４０）と、
を備え、
前記状態推定手段は、前記通常サッカード頻度に関する値と前記マイクロサッカード頻度に関する値とを加算した合計頻度と、予め設定された閾値との比較結果に基づいて、前記監視対象者の状態を推定すること
を特徴とする状態推定装置。
【請求項２】
請求項１に記載の状態推定装置において、
前記状態推定手段は、前記合計頻度が前記閾値以上となる場合に前記監視対象者の状態が正常であると推定し、前記合計頻度が前記閾値未満となる場合に前記監視対象者の状態が異常であると推定すること
を特徴とする状態推定装置。
【請求項３】
請求項１または請求項２に記載の状態推定装置において、
監視対象者の状態が正常であるときにおける通常サッカード頻度およびマイクロサッカード頻度に応じて前記閾値を設定する閾値設定手段（Ｓ３５）、
を備え、
前記状態推定手段は、前記閾値設定手段にて設定された閾値と前記合計頻度との比較結果に基づいて、前記監視対象者の状態を推定すること
を特徴とする状態推定装置。
【請求項４】
請求項１〜請求項３の何れか１項に記載の状態推定装置において、
前記状態推定手段は、前記監視対象者の状態として、前記監視対象者の集中力の程度を推定すること
を特徴とする状態推定装置。
【請求項５】
請求項１〜請求項４の何れか１項に記載の状態推定装置において、
前記監視対象者の状態が異常である場合、前記監視対象者に対して警報を行う警報手段（Ｓ４５）、
を備えたことを特徴とする状態推定装置。
【請求項６】
請求項５に記載の状態推定装置において、
前記警報手段は、前記通常サッカード頻度と前記マイクロサッカード頻度との比に応じて警報の態様を変更すること
を特徴とする状態推定装置。
【請求項７】
監視対象者の眼球運動に基づいて前記監視対象者の状態を推定する状態推定装置（１）であって、
前記監視対象者のサッカードの発生頻度を表す通常サッカード頻度、および前記監視対象者のマイクロサッカードの発生頻度を表すマイクロサッカード頻度を取得する頻度取得手段（Ｓ１５，Ｓ２０）と、
前記通常サッカード頻度および前記マイクロサッカード頻度に基づいて、前記監視対象者の状態を推定する状態推定手段（Ｓ４０）と、
前記監視対象者の状態が異常である場合、前記監視対象者に対して警報を行う警報手段（Ｓ４５）と、
を備え、
前記警報手段は、前記通常サッカード頻度と前記マイクロサッカード頻度との比に応じて警報の態様を変更すること
を特徴とする状態推定装置。
【請求項８】
請求項５〜請求項７の何れか１項に記載の状態推定装置において、
前記警報手段は、前記通常サッカード頻度が前記マイクロサッカード頻度に対して高いとき、音声による警報を実施し、前記通常サッカード頻度が前記マイクロサッカード頻度に対して低いとき、画像による警報を実施すること
を特徴とする状態推定装置。
【請求項９】
監視対象者の眼球運動に基づいて前記監視対象者の状態を推定する状態推定装置（１）であって、
前記監視対象者のサッカードの発生頻度を表す通常サッカード頻度、および前記監視対象者のマイクロサッカードの発生頻度を表すマイクロサッカード頻度を取得する頻度取得手段（Ｓ１５，Ｓ２０）と、
前記通常サッカード頻度および前記マイクロサッカード頻度に基づいて、前記監視対象者の状態を推定する状態推定手段（Ｓ４０）と、
前記監視対象者の状態が異常である場合、前記監視対象者に対して警報を行う警報手段（Ｓ４５）、
を備え、
前記警報手段は、前記通常サッカード頻度が前記マイクロサッカード頻度に対して高いとき、音声による警報を実施し、前記通常サッカード頻度が前記マイクロサッカード頻度に対して低いとき、画像による警報を実施すること
を特徴とする状態推定装置。
【請求項１０】
請求項１〜請求項９の何れか１項に記載の状態推定装置において、
当該状態推定装置は車両に搭載されており、前記監視対象者として当該車両の運転者を監視すること
を特徴とする状態推定装置。
【請求項１１】
コンピュータを、請求項１〜請求項１０の何れか１項に記載の状態推定装置を構成する各手段として機能させるための状態推定プログラム。
【発明の詳細な説明】
【技術分野】
【０００１】
本発明は、監視対象者の眼球運動に基づいて監視対象者の状態を推定する状態推定装置、および状態推定プログラムに関する。
【背景技術】
【０００２】
上記の状態推定装置として、監視対象者の眼球運動のうちのある滞留点から異なる滞留点への直線的な視線の移動を表すサッカードを検出し、サッカードの頻度と閾値とを比較することによって監視対象者の状態を推定する状態推定装置が知られている（例えば、特許文献１参照）。
【先行技術文献】
【特許文献】
【０００３】
【特許文献１】特開２０１１−１１５４５０号公報
【発明の概要】
【発明が解決しようとする課題】
【０００４】
しかしながら、本件発明者による研究により、監視対象者の状態や周囲の環境が同じ場合であっても、サッカードの頻度が変化することが確認された。したがって、上記特許文献１に開示された技術では、監視対象者の状態を誤判定する虞がある。
【０００５】
そこで、このような問題点を鑑み、監視対象者の眼球運動に基づいて監視対象者の状態を推定する状態推定装置において、より精度よく監視対象者の状態を推定できるようにすることを本発明の目的とする。
【課題を解決するための手段】
【０００６】
本発明の一側面の状態推定装置において、頻度取得手段は、監視対象者のサッカードの発生頻度を表す通常サッカード頻度、および監視対象者のマイクロサッカードの発生頻度を表すマイクロサッカード頻度を取得する。そして、状態推定手段は、通常サッカードの頻度およびマイクロサッカードの頻度に基づいて、監視対象者の状態を推定する。
【０００７】
このような状態推定装置によれば、サッカードの頻度だけでなく、マイクロサッカードの頻度も用いて監視対象者の状態を推定するので、より正確に監視対象者の状態を推定することができる。
【０００８】
なお、各請求項の記載は、可能な限りにおいて任意に組み合わせることができる。この際、一部構成を除外してもよい。
【図面の簡単な説明】
【０００９】
【図１】本発明が適用された注意力推定システムの概略構成を示すブロック図である。
【図２】サッカードとマイクロサッカードとの関係の一例を示すグラフである。
【図３】制御部が実行する注意力推定処理を示すフローチャートである。
【図４】注意力推定処理のうちの画像認識処理を示すフローチャートである。
【図５】サッカードおよびマイクロサッカードの発生状況の一例を示すグラフである。
【図６】注意力推定処理のうちの状態判定処理を示すフローチャートである。
【図７】注意力推定処理のうちの報知処理を示すフローチャートである。
【発明を実施するための形態】
【００１０】
以下に本発明にかかる実施の形態を図面と共に説明する。
［本実施形態の構成］
本発明が適用された注意力推定システム１は、乗用車等の車両（自車両）に搭載され、監視対象者となる運転者の眼球の運動に基づいて運転者の状態が注意力を欠いた状態であるか否かを認識し、運転者の状態が注意力を欠いた状態である場合、警報を行うシステムである。
【００１１】
詳細には注意力推定システム１は、図１に示すように、制御部１０、カメラ２１、照明部２２、舵角センサ２５、車速センサ２６、警報部３１を備えている。
カメラ２１は、車両の内部において運転者の前方に配置されており、運転者の眼球が撮像範囲内になるよう設定されている。例えば、カメラ２１は運転者が装着するゴーグルの内部において配置され、顔の動きによらず眼球との位置関係が変化しないよう設定されている。
【００１２】
なお、カメラ２１は、眼球の細かな動き（眼球の角度）を撮像できる構成であれば、上記のように配置されている必要はなく、例えば、撮像画像中に運転者の顔全体が含まれるように配置されてもよい。また、カメラ２１は、サッカードやマイクロサッカードを検出可能な周期（例えば２００ｆｐｓ（フレーム毎秒）程度のフレームレート）と精度（例えば０．０５度の角度差を検出可能な精度）で撮像可能な高速かつ高精度なカメラとして構成されている。
【００１３】
ここで、サッカードとは、運転者が主に意図的に視線方向を変化させる動作等、跳躍性眼球運動を示し、本実施形態では、視線角加速度が基準角加速度（例えば、１２００deg/s2）以上であり、かつ視線の移動距離（視線角度の変化が開始してから停止するまでの視線角度の差）が基準距離（例えば、２deg）以上のものを示す。また、マイクロサッカードとは、運転者が注視している際に、不随意で生じる微小な眼球運動（眼球の固視微動）を示し、本実施形態では、視線角加速度が基準角加速度以上であり、かつ視線の移動距離が基準距離未満のものを示す。
【００１４】
なお、角加速度に換えて、角速度が規準角速度以上であるか否かによって判定を行ってもよい。また、本実施形態においてサッカード頻度（通常サッカード頻度）とは、サッカードの発生頻度を表す。マイクロサッカード頻度とは、マイクロサッカードの発生頻度を表す。
【００１５】
次に、照明部２２は、カメラ２１のための補助光源として機能し、カメラ２１の撮像範囲内となる運転者の顔に向けて例えば赤外光を照射する。赤外光の照射タイミングについては、常時点灯していてもよいし、カメラ２１による撮像周期と同期するよう、発光タイミングが制御部１０によって制御されるよう構成されていてもよい。
【００１６】
舵角センサ２５は、運転者のハンドル操作によるハンドル位置を検出するセンサであり、周知の舵角センサとして構成されている。舵角センサ２５が検出する舵角は、制御部１０にて認識されるよう設定されている。
【００１７】
車速センサ２６は、自車両の走行速度を検出する周知の車速センサとして構成されている。車速センサ２６は車速の検出結果を制御部１０に送る。
警報部３１は、音や光で運転者に注意を促すための構成であり、制御部１０からの指令を受けて作動する。具体的には、警報部３１は、音を発生させるアンプ・スピーカや、画像を表示させる表示部等を備えている。なお、警報部３１は、制御部１０からの指令を受けて、運転者のシートに埋め込まれたバイブレータが作動することで警報したり、制御部１０からの指令を受けて、車両における空調装置の風量や風向、或いは設定温度を変更することで警報したりするようにしてもよい。
【００１８】
制御部１０は、ＣＰＵ１１、およびＲＯＭ、ＲＡＭ等のメモリ１２を備えた周知のコンピュータとして構成されている。ＣＰＵ１１は、メモリ１２に記録されたプログラムに従って後述する各種処理を実施する。
【００１９】
［本実施形態の処理の概要］
本件発明者による研究により、図２（ａ）に示すように、運転者の状態が異常でない正常状態においては、サッカード頻度とマイクロサッカード頻度とがトレードオフの関係にあることが確認された。すなわち、運転者の状態が正常である場合、サッカード頻度が減少したとしてもマイクロサッカード頻度が増加していることがあり、また、通常サッカード頻度が増加したとしてもマイクロサッカード頻度が減少していることもあるといえる。
【００２０】
また、運転者の状態が異常である異常状態においては、サッカード頻度およびマイクロサッカード頻度の両方が減少傾向となる。そこで、本実施形態では、図２（ｂ）に示すように、サッカード頻度およびマイクロサッカード頻度の両方が低下したときに、運転者の状態が異常あるものとする。
【００２１】
なお、本実施形態においては、運転者による周囲環境に対する注意力が散漫になった状態を、運転者の状態が異常または不注意状態と表記し、運転者による周囲環境に対する注意力が十分である状態を、運転者の状態が正常または注意状態と表記する。
【００２２】
運転者の状態を判定する際の具体的処理について以下に示す。
［本実施形態の処理の詳細］
注意力推定システム１において、制御部１０は、図３以下に示す注意力推定処理を実施する。注意力推定処理は、例えば注意力推定システム１の電源が投入されると開始される処理であり、その後、一定周期毎に繰り返し実施される処理である。
【００２３】
この処理では、図３に示すように、まず、画像認識処理を実施する（Ｓ１０）。画像認識処理は、カメラ２１から取得した撮像画像から運転者（監視対象者）の眼球の細かな動きを検出する処理である。
【００２４】
画像認識処理では、図４に示すように、まず、カメラ２１による撮像画像を取得する（Ｓ１１０）。続いて、撮像画像中の瞳孔を抽出する（Ｓ１１５）。この処理では、撮像画像内の黒い丸を瞳孔として抽出する。なお、撮像画像中に監視対象者の顔全体が含まれるようカメラ２１を配置している場合には、撮像画像中の眼球の位置を検出し、その中の黒い丸を瞳孔として抽出して位置を記録する。
【００２５】
続いて、角膜反射像を抽出する（Ｓ１２０）。角膜反射像は、瞳孔内において光源からの光が角膜によって反射された反射光であり、撮像画像中では白い点となる。この白い点の位置を記録する。
【００２６】
そして、瞳孔の位置と角膜反射像の位置との位置関係（それぞれの位置・角度、相対距離等）に従って、視線角度を演算する（Ｓ１２５）。ここでの視線角度は、車両の左右方向と概ね一致する水平方向と、水平方向とは直交する垂直方向との両方を意味する。
【００２７】
続いて、演算した視線角度をメモリ１２に保存し（Ｓ１３０）、視線角加速度を演算する（Ｓ１３５）。視線角加速度は、メモリ１２に保存された過去数フレーム分（各加速度を求めるために十分なフレーム数であり、例えば１０フレーム分等）の視線角度を利用して、視線角度の変化量を時間で除することで求める。
【００２８】
そして、瞬目（瞬き）についても抽出する（Ｓ１４０）。瞬目については、例えば瞳孔が抽出できない場合に瞬目を行っていると認識する。また、上瞼の曲率半径に基づいて瞬目の判断を行ってもよい。
【００２９】
また、瞬目については、その時刻がメモリ１２に記録される。瞬目の間のデータは以下の処理から除外される。Ｓ１４０の処理が終了すると、画像認識処理を終了する。
次に、図３に戻り、サッカードおよびマイクロサッカードを抽出する（Ｓ１５，Ｓ２０）。この処理では、視線角加速度が基準角速度以上のものをサッカードまたはマイクロサッカードとして抽出する。そして、これらのうちの視線の移動距離が基準距離以上であるものをサッカード（通常サッカード）とし、視線の移動距離が基準距離未満であるものをマイクロサッカードとする。
【００３０】
ここで、時間に応じた視線角度の変化の一例をグラフ化すると、例えば図５（ａ）、図５（ｂ）、図５（ｃ）に示すような結果が得られる。なお、これらの例では、サッカードが発生した部位に下向き三角印（▽）を付し、マイクロサッカードが発生した部位に丸印（○）を付している。ただし、図５（ａ）、図５（ｂ）、図５（ｃ）に示すグラフでは、特徴的なサッカードおよびマイクロサッカードについてのみ三角印および丸印を付しており、全てのサッカードおよびマイクロサッカードについて三角印および丸印を付しているわけではない。
【００３１】
また、図５（ａ）、図５（ｂ）、図５（ｃ）に示すグラフを得るにあたっては、同一の被験者にドライビングシミュレータによる動画を視聴させた。なお、被験者が動画の視聴をする際には運転操作を実施していない。動画の視聴中において別のタスク（例えば暗算問題を解答させる等）を被験者に要求しないで動画の視聴に集中させた結果（注意力十分状態）を図５（ａ）および図５（ｂ）に示す。
【００３２】
また、同様の動画の視聴中において別のタスク（具体的には暗算による引き算）を実施するよう被験者に要求した結果（注意力不十分状態）を図５（ｃ）に示す。なお、図５（ａ）は、例えば一般道を走行中等、サッカードが多く発生する状況での視線角度の変化を示し、マイクロサッカード頻度に対してサッカード頻度が優勢となっている。また、図５（ｂ）は、例えば高速道路を走行中等、マイクロサッカードが多く発生する状況での視線角度の変化を示し、マイクロサッカード頻度に対してサッカード頻度が劣勢となっている。
【００３３】
運転者の注意力が十分である場合には、図５（ａ）および図５（ｂ）に示すように、運転者の注意力が不十分である場合（図５（ｃ）参照）と比較して、サッカード頻度またはマイクロサッカード頻度が高くなることが分かる。
【００３４】
続いて、このようにして抽出されたサッカードおよびマイクロサッカードの発生状況と、サッカードおよびマイクロサッカードの監視時間とに基づいて、サッカードおよびマイクロサッカードの発生頻度を求め、これらの発生頻度に関するデータをメモリ１２に記録させる（Ｓ２５）。そして、サッカードおよびマイクロサッカードの監視時間と予め設定された有効時間とを比較する（Ｓ３０）。ここで、有効時間とは、サッカードおよびマイクロサッカードの発生頻度を精度よく認識するために必要な時間を表し、例えば、１分程度から数分程度の値に設定される。
【００３５】
サッカードおよびマイクロサッカードの監視時間が有効時間未満であれば（Ｓ３０：ＮＯ）、Ｓ１０の処理に戻る。また、サッカードおよびマイクロサッカードの監視時間が有効時間以上であれば（Ｓ３０：ＹＥＳ）、回帰式を生成する（Ｓ３５）。
【００３６】
ここで、回帰式とは、サッカードおよびマイクロサッカードが適切に発生しているか否かを判定するための数式である。この回帰式は、以下のようにして求める。まず、有効時間経過直後（すなわち、運転者の状態が正常状態であると推定されるとき）において、図２（ｂ）に示すように、サッカード頻度ＲＳＣと、マイクロサッカード頻度ＲＭＲＣとを縦軸および横軸に取ったグラフ上において、所定時間（前述の有効時間よりも小さな値であり、例えば１０秒間程度の値）毎のサッカード頻度ＲＳＣおよびマイクロサッカード頻度ＲＭＲＣをプロットする。
【００３７】
そして、これらのプロットの傾向を示す最も確からしい曲線（直線含む）を求める。例えば、図２（ｂ）に示す例では、最小二乗法により最も確からしい曲線（直線［Ａ］）を求めている。
【００３８】
さらに、この曲線（直線［Ａ］）を原点方向にシフトさせることで、回帰式ａＲＳＣ＋ｂＲＭＲＣ＝ＴＲ（図２（ｂ）に示す直線［Ｂ］）を求める。なお、回帰式においてａ，ｂ，ＴＲについては最小二乗法や曲線を原点方向にシフトさせる処理等によって得られる定数である。
【００３９】
なお、曲線を原点方向にシフトさせる際のシフト量は、サッカード頻度ＲＳＣおよびマイクロサッカード頻度ＲＭＲＣの分散程度や、実験データ等を用いて任意に設定される。また、回帰式を生成する処理は、例えば車両の電源の投入後の１回だけ実施され、繰り返し時においては省略される。この場合、以下の処理では既に生成された回帰式を用いて判定を行う。
【００４０】
続いて、状態判定処理を実施する（Ｓ４０）。状態判定処理は、サッカード頻度およびマイクロサッカード頻度に基づいて運転者の状態を推定する処理である。状態判定処理では、図６に示すように、まず、ａＲＳＣ＋ｂＲＭＲＣとＴＲとを比較する（Ｓ２１０）。
【００４１】
ａＲＳＣ＋ｂＲＭＲＣがＴＲ以上であれば（Ｓ２１０：ＹＥＳ）、運転者の状態が正常（注意状態）であるものとして、フラグＡを０にセットし（Ｓ２１５）、Ｓ２２５の処理に移行する。また、ａＲＳＣ＋ｂＲＭＲＣがＴＲ未満であれば（Ｓ２１０：ＮＯ）、運転者の状態が異常（不注意状態）であるものとして、フラグＡを１にセットする（Ｓ２２０）。
【００４２】
続いて、ａＲＳＣ／ｂＲＭＲＣと定数Ｃとを比較する（Ｓ２２５）。ここで、定数Ｃは、サッカード頻度とマイクロサッカード頻度との何れが優勢であるかを判定するための閾値であり、例えば１程度の値に設定される。
【００４３】
ａＲＳＣ／ｂＲＭＲＣが定数Ｃ以上であれば（Ｓ２２５：ＹＥＳ）、マイクロサッカード頻度に対してサッカード頻度が優勢であるものとして、フラグＢを０にセットし（Ｓ２３０）、状態判定処理を終了する。また、ａＲＳＣ／ｂＲＭＲＣが定数Ｃ未満であれば（Ｓ２２５：ＮＯ）、サッカード頻度に対してマイクロサッカード頻度が優勢であるものとして、フラグＢを１にセットし（Ｓ２３５）、状態判定処理を終了する。
【００４４】
続いて、図３に戻り、報知処理を実施する（Ｓ４５）。報知処理は、運転者の状態に応じて運転者に警告や注意等の報知を行う処理である。報知処理では、図７に示すように、まず、フラグＡの状態を判定する（Ｓ３１０）。
【００４５】
フラグＡが０（注意状態）であれば（Ｓ３１０：ＹＥＳ）、報知を行う必要がないため報知処理を終了する。また、フラグＡが１（不注意状態）であれば（Ｓ３１０：ＮＯ）、フラグＢの状態を判定する（Ｓ３１５）。
【００４６】
フラグＢが０（サッカード優勢）であれば（Ｓ３１５：ＹＥＳ）、音のみによる報知を実施させ（Ｓ３２０）、報知処理を終了する。また、フラグＢが１（マイクロサッカード優勢）であれば（Ｓ３１５：ＮＯ）、音および視覚（画像）による報知（警報）を実施させ（Ｓ３２５）、報知処理を終了する。
【００４７】
このように、マイクロサッカードに対してサッカードが多い際には、監視対象者があちこちを視認している状態であり、画像による警報を見る余裕がない（或いは画像を見ることで他への注意が散漫になる）可能性が高まるため画像でなく音声による警報を実施する。また、サッカードに対してマイクロサッカードが多い際には、監視対象者の視線が比較的一定である状態であり、画像を見る余裕がある可能性が高いため画像による警報を実施する。
【００４８】
なお、Ｓ３２０またはＳ３２５の処理が実施されると、制御部１０は、予め設定された音や画像を発する旨の指令を警報部３１に送り、この指令を受けた警報部３１が音や画像を用いて警報を行う。なお、報知の際には、振動や空調等を用いてもよい。
【００４９】
［本実施形態による効果］
上記の注意力推定システム１において制御部１０は、監視対象者のサッカードの発生頻度を表す通常サッカード頻度、および監視対象者のマイクロサッカードの発生頻度を表すマイクロサッカード頻度を取得する。そして、制御部１０は、通常サッカードの頻度およびマイクロサッカードの頻度に基づいて、監視対象者の状態を推定する。
【００５０】
このような注意力推定システム１によれば、サッカードの頻度だけでなく、マイクロサッカードの頻度も用いて監視対象者の状態を推定するので、より正確に監視対象者の状態を推定することができる。
【００５１】
また、上記の注意力推定システム１において制御部１０は、通常サッカード頻度に関する値とマイクロサッカード頻度に関する値とを加算した合計頻度と、予め設定された閾値との比較結果に基づいて、監視対象者の状態を推定する。特に、上記の注意力推定システム１において制御部１０は、合計頻度が閾値以上となる場合に監視対象者の状態が正常であると推定し、合計頻度が閾値未満となる場合に監視対象者の状態が異常であると推定する。
【００５２】
このような注意力推定システム１によれば、通常サッカード頻度とマイクロサッカード頻度とがトレードオフの関係にあることを考慮して合計頻度を用いて監視対象者の状態を推定するので、より良好に監視対象者の状態を推定することができる。なお、本実施形態では頻度の合計がある閾値未満である場合に異常であると推定したが、頻度の両方がある閾値未満である場合にも拡張して適用することができる。
【００５３】
上記の注意力推定システム１において制御部１０は、監視対象者の状態が正常であるときにおける通常サッカード頻度およびマイクロサッカード頻度に応じて閾値を設定し、設定された閾値と合計頻度との比較結果に基づいて、監視対象者の状態を推定する。
【００５４】
このような注意力推定システム１によれば、監視対象者の状態が正常であるときにおける通常サッカード頻度およびマイクロサッカード頻度に応じて閾値を設定するので、監視対象者の個体差に応じた適切な閾値を設定することができる。
【００５５】
上記の注意力推定システム１において制御部１０は、監視対象者の状態として、監視対象者の集中力の程度を推定する。
このような注意力推定システム１によれば、通常サッカードの頻度およびマイクロサッカードの頻度に基づいて、監視対象者の集中力の程度を推定することができる。
【００５６】
上記の注意力推定システム１において制御部１０は、監視対象者の状態が異常である場合、監視対象者に対して警報を行う。
このような注意力推定システム１によれば、監視対象者の集中力が低下したときや体調が悪いとき等、監視対象者の状態が異常である場合に、警報を実施するので、監視対象者に注意を促すことができる。
【００５７】
上記の注意力推定システム１において制御部１０は、通常サッカードの頻度とマイクロサッカードの頻度との比に応じて警報の態様を変更する。
このような注意力推定システム１によれば、運転者の状態に応じて適切な手法で警報を実施することができる。
【００５８】
上記の注意力推定システム１において制御部１０は、通常サッカードの頻度がマイクロサッカードの頻度に対して高いとき、音声による警報を実施し、通常サッカードの頻度がマイクロサッカードの頻度に対して低いとき、画像による警報を実施する。
【００５９】
このような注意力推定システム１によれば、運転者の状態に応じて適切な手法で警報を実施することができる。
上記の注意力推定システム１において制御部１０は、監視対象者として車両の運転者を監視する。
【００６０】
このような注意力推定システム１によれば、車両の運転者が運転する際に異常な状態であるか否かを監視することができる。
［その他の実施形態］
本発明は、上記の実施形態によって何ら限定して解釈されない。また、上記の実施形態の説明で用いる符号を特許請求の範囲にも適宜使用しているが、各請求項に係る発明の理解を容易にする目的で使用しており、各請求項に係る発明の技術的範囲を限定する意図ではない。上記実施形態における１つの構成要素が有する機能を複数の構成要素として分散させたり、複数の構成要素が有する機能を１つの構成要素に統合させたりしてもよい。また、上記実施形態の構成の一部を、課題を解決できる限りにおいて省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６１】
上述した注意力推定システムの他、当該注意力推定システムの構成要素となる装置、当該注意力推定システムとしてコンピュータを機能させるためのプログラム、このプログラムを記録した媒体、注意力推定方法など、種々の形態で本発明を実現することもできる。
【００６２】
［実施形態の構成と本発明の手段との対応関係］
上記実施形態において制御部１０は本発明でいう状態推定装置に相当する。また、上記実施形態において制御部１０が実施する処理のうち、Ｓ１５，Ｓ２０の処理は本発明でいう頻度取得手段に相当し、上記実施形態においてＳ３５の処理は本発明でいう閾値設定手段に相当する。
【００６３】
さらに、上記実施形態においてＳ４０の処理は本発明でいう状態推定手段に相当し、上記実施形態においてＳ４５の処理は本発明でいう警報手段に相当する。
【符号の説明】
【００６４】
１…注意力推定システム、１０…制御部、１１…ＣＰＵ、１２…メモリ、２１…カメラ、２２…照明部、２５…舵角センサ、２６…車速センサ、３１…警報部。
【図１】
0006578784.tif 000002
【図２】
0006578784.tif 000003
【図３】
0006578784.tif 000004
【図４】
0006578784.tif 000005
【図５】
0006578784.tif 000006
【図６】
0006578784.tif 000007
【図７】
0006578784.tif 000008